(57)【特許請求の範囲】
【請求項１】
洗浄水源から供給される洗浄水により便器を洗浄して汚物を排出する水洗大便器であって、
ボウル形状の汚物受け面と、上縁部に形成されその内周面がほぼ鉛直方向に立ち上がるように形成されたリム部と、このリム部と上記汚物受け面との間に形成された棚部と、を備えたボウル部と、
このボウル部の下方にその入口が接続され汚物を排出する排水路と、
上記ボウル部の棚部上に洗浄水を吐水して旋回流を形成する吐水部と、
この吐水部に洗浄水を供給する導水路と、を有し、
上記吐水部は、上記ボウル部を前後方向に二等分するように上記ボウル部の左右方向に延びる中心線に対して前方側に位置する上記ボウル部の前方側領域に形成され、且つ、上記リム部の内周面の全周区間のうちの一部の区間が内方に向かってオーバーハングした形状に形成され、
上記吐水部は、上記リム部のオーバーハングした部分により覆われることにより、使用者が上記ボウル部の前方斜め上方から見て視認できないようになっており、
上記吐水部は、上記ボウル部のリム部の前端付近に形成された吐水口を備え、上記リム部の内周面が、リム部の前端付近において、鉛直面とこの鉛直面から内方に向かって延びる水平面とによりオーバーハングした形状に形成され、この鉛直面と水平面とにより上記リム部の前縁付近の棚部上に前方に突出した凹み空間を形成し、この凹み空間内において、上記吐水部の吐水口と上記リム部の鉛直面とが面一となるように連続して形成されていることを特徴とする水洗大便器。
【請求項２】
上記吐水部は、上記ボウル部のリム部の前端付近に形成され、上記リム部のオーバーハングした部分は、上記吐水部を覆うように上記ボウル部のリム部の前端付近に左右対称に形成されている請求項１記載の水洗大便器。
【請求項３】
上記吐水部は、上記ボウル部のリム部の上端側に形成されている請求項２記載の水洗大便器。
【請求項４】
上記ボウル部のリム部は、使用者がボウル部の前方斜め上方から視認できる領域において左右対称に形成されている請求項２又は３に記載の水洗大便器。
【請求項５】
上記ボウル部のリム部の後方側領域の大部分が所定の半径の正円の一部を形成する請求項１乃至４の何れか１項に記載の水洗大便器。
【発明の詳細な説明】
【技術分野】
【０００１】
本発明は、水洗大便器に係り、特に、洗浄水源から供給される洗浄水により便器を洗浄して汚物を排出する水洗大便器に関する。
【背景技術】
【０００２】
従来から、便器を洗浄して汚物を排出する水洗大便器として、特許文献１に記載されているように、水洗大便器のボウル部の上縁に形成されたリム部の内周が垂直又は外側に広がる形状に形成され、このリム部の後方側に形成されたリム吐水口から水平方向に洗浄水を吐水して旋回流を形成すると共に、ボウル部の下方且つ前端に設けられたゼット吐水口から排水トラップに向けて吐水してサイホン作用を発生させ、汚物を排出するものが知られている。
【先行技術文献】
【特許文献】
【０００３】
【特許文献１】特開２００５−９８００３号公報
【発明の概要】
【発明が解決しようとする課題】
【０００４】
このような特許文献１に記載された従来の水洗大便器においては、ボウル部の上縁に形成されたリム部の内周が垂直又は外側に広がる形状に形成されており、上方からボウル部内の全体を目視することが容易であるため、ボウル部全体については、拭き取り掃除等の清掃性にも優れている。しかしながら、この反面、リム部の後方側に形成されたリム吐水口が複数設けられているものについては、形状が複雑で汚れ易く、清掃がし難いため、ボウル部内を前方斜め上方から見た使用者に対して非常に汚れが目立ち易いという問題があり、使用者が感じる清潔感を低下させていると共に、ボウル部全体の美観も低下しているという問題がある。
【０００５】
そこで、本発明は、上述した従来技術の課題を解決するためになされたものであり、使用者が感じる清潔感を向上させることができると共に、ボウル部全体の美観を向上させることができる水洗大便器を提供することを目的としている。
【課題を解決するための手段】
【０００６】
上述した目的を達成するために、本発明は、洗浄水源から供給される洗浄水により便器を洗浄して汚物を排出する水洗大便器であって、ボウル形状の汚物受け面と、上縁部に形成されその内周面がほぼ鉛直方向に立ち上がるように形成されたリム部と、このリム部と上記汚物受け面との間に形成された棚部と、を備えたボウル部と、このボウル部の下方にその入口が接続され汚物を排出する排水路と、上記ボウル部の棚部上に洗浄水を吐水して旋回流を形成する吐水部と、この吐水部に洗浄水を供給する導水路と、を有し、上記吐水部は、上記ボウル部を前後方向に二等分するように上記ボウル部の左右方向に延びる中心線に対して前方側に位置する上記ボウル部の前方側領域に形成され、且つ、上記リム部の内周面の全周区間のうちの一部の区間が内方に向かってオーバーハングした形状に形成され、上記吐水部は、上記リム部のオーバーハングした部分により覆われることにより、使用者が上記ボウル部の前方斜め上方から見て視認できないようになっており、上記吐水部は、上記ボウル部のリム部の前端付近に形成された吐水口を備え、上記リム部の内周面が、リム部の前端付近において、鉛直面とこの鉛直面から内方に向かって延びる水平面とによりオーバーハングした形状に形成され、この鉛直面と水平面とにより上記リム部の前縁付近の棚部上に前方に突出した凹み空間を形成し、この凹み空間内において、上記吐水部の吐水口と上記リム部の鉛直面とが面一となるように連続して形成されていることを特徴としている。
このように構成された本発明においては、ボウル部の棚部上に洗浄水を吐水して旋回流を形成する吐水部が、ボウル部を前後方向に二等分するようにボウル部の左右方向に延びる中心線に対して前方側に位置するボウル部の前方側領域に形成され、汚れやすいボウル部の後方側領域からずれているので、吐水部に汚物が付着し難く、さらに、吐水部が、リム部の内周面の全周区間のうちの一部の区間が内方に向かってオーバーハングした形状に形成されたリム部のオーバーハングした部分により覆われることにより、使用者がボウル部の前方斜め上方から見て視認できないようになっているため、使用者が感じる清潔感を向上させることができると共に、ボウル部全体の美観にも向上させることができる。また、吐水部が、ボウル部のリム部の前端付近に形成された吐水口を備え、リム部の内周面が、リム部の前端付近において、鉛直面とこの鉛直面から内方に向かって延びる水平面とにより棚部上に前方に突出した凹み空間を形成し、この凹み空間内において、吐水部の吐水口とリム部の鉛直面とが面一となるように連続して形成されているので、ボウル部を前方斜め上方から見た使用者が吐水部の吐水口を視認し難くなり、使用者が感じる清潔感を向上させることができる。さらに、ボウル部全体の美観も向上する。
【０００７】
本発明において、好ましくは、上記吐水部は、上記ボウル部のリム部の前端付近に形成され、上記リム部のオーバーハングした部分は、上記吐水部を覆うように上記ボウル部のリム部の前端付近に左右対称に形成されている。
このように構成された本発明においては、吐水部がリム部の前端付近に形成され、リム部のオーバーハングした部分が吐水部を覆うので、使用者は、吐水部を視認することができないので、使用者が感じる清潔感を向上させることができ且つボウル部全体の美観を向上させることができる。さらに、リム部のオーバーハングした部分がボウル部のリム部の前端付近に左右対称に形成されているので、ボウル部全体の美観を向上させることができる。
【０００８】
本発明において、好ましくは、上記吐水部は、上記ボウル部のリム部の上端側に形成されている。
このように構成された本発明においては、吐水部がボウル部のリム部の上端側に形成されているので、ボウル部を前方斜め上方から見た使用者に対して、吐水部が確実にリム部のオーバーハングした部分の死角に入るため、吐水部を使用者がより視認し難くなる。また、使用者か感じる清潔感を向上させることができると共に、ボウル部全体の美観を向上させることができる。
【０００９】
本発明において、好ましくは、上記ボウル部のリム部は、使用者がボウル部の前方斜め上方から視認できる領域において左右対称に形成されている。
このように構成された本発明においては、吐水部がリム部のオーバーハングした部分により隠されているので、使用者がボウル部の前方斜め上方から視認できる広い領域においてリム部を左右対称にすることができる。その結果、本発明によれば、ボウル部全体の美観をより向上させることができる。
【００１０】
本発明において、好ましくは、上記ボウル部のリム部の後方側領域の大部分が所定の半径の正円の一部を形成する。
このように構成された本発明においては、ボウル部のリム部の後方側領域の大部分が所定の半径の正円の一部を形成するので、使用者が前方斜め上方から見たとき、最も目立ちやすいボウル部のリム部の後方側領域の大部分が所定の半径の正円の一部を形成しているので、ボウル部全体の美観を向上させることができる。
【発明の効果】
【００１２】
本発明の水洗大便器によれば、使用者が感じる清潔感を向上させることができると共に、ボウル部全体の美観を向上させることができる。
【図面の簡単な説明】
【００１３】
【図１】本発明の一実施形態による水洗大便器を示す概略斜視図である。
【図２】本発明の一実施形態による水洗大便器において便座及び便蓋を省略した状態の側面断面図である。
【図３】本発明の一実施形態による水洗大便器からの便器本体を示す平面図である。
【図４】図３のＩＶ−ＩＶ線に沿って見た断面図である。
【図５】図３のＶ−Ｖ線に沿って見た断面図である。
【図６】図３のＶＩ−ＶＩ線に沿って見た断面図である。
【図７】図３のＶＩＩ−ＶＩＩ線に沿って見た断面図である。
【図８】本発明の一実施形態による水洗大便器の導水路全体を示す斜視図である。
【図９】本発明の一実施形態による水洗大便器のボウル部内の前側領域のリム吐水口を後方側斜め下方から見た拡大斜視図である。
【図１０】図３に示す本発明の一実施形態による水洗大便器の前方部分を拡大した部分拡大平面図である。
【図１１】図２に示す本発明の一実施形態による水洗大便器のリム吐水口部分を拡大した部分拡大斜視図である。
【図１２】本発明の一実施形態による水洗大便器における接着工程前の状態の便器本体を示す側面図である。
【図１３】本発明の一実施形態による水洗大便器における接着工程前の状態の便器本体を示す正面断面図である。
【図１４】本発明の一実施形態による水洗大便器においてゼット洗浄開始後にリム洗浄が行われているときのリム吐水の第１周目の第１旋回軌道と第２周目の第２旋回軌道を概略的に説明する斜視図である。
【図１５】本発明の一実施形態による水洗大便器においてリム吐水の旋回流が凹部内へ流下している状態を概略的に説明する斜視図である。
【図１６】図１６の（ａ）は、本発明の一実施形態による水洗大便器を用いて便器洗浄を行ったときのリム吐水及びゼット吐水に関する流速分布を解析した結果の一例を示す。また、図１６の（ｂ）は、図１６の（ａ）に示す解析結果の比較例として、従来の水洗大便器を用いて便器洗浄を行ったときのリム吐水及びゼット吐水に関する流速分布を解析した結果を示す。
【図１７】図１７の（ａ）は、本発明の一実施形態による水洗大便器を用いて便器洗浄を行ったときのゼット吐水に関する流速分布と流れの様子を解析した結果の一例を示す。また、図１７の（ｂ）は、図１７の（ａ）に示す解析結果の比較例として、従来の水洗大便器を用いて便器洗浄を行ったときのゼット吐水に関する流速分布と流れの様子を解析した結果を示す。
【発明を実施するための形態】
【００１４】
以下、本発明の一実施形態による水洗大便器について添付図面を参照して説明する。
図１は本発明の一実施形態による水洗大便器の便座を示す概略斜視図である。
図１に示すように、本発明の一実施形態による水洗大便器１は、ボウル部内の水の落差による流水作用で汚物を押し流す、いわゆる、洗い落し式の水洗大便器であり、陶器製の便器本体２と、この便器本体２の上面に配置された便座（図示せず）を覆う便蓋４と、便器本体２の後部に取り付けられ、便器洗浄に使用される洗浄水を貯水して便器本体２へ給水する洗浄水源である重力給水式の貯水タンク６とを備えている。
なお、便器本体２へ洗浄水を供給する洗浄水源としては、本実施形態で示した重力給水式の貯水タンク６のようなタンク式のものに限定されず、水道水の給水圧を直接利用した水道直圧式のものや、フラッシュバルブ式のものや、ポンプの補圧を利用して洗浄水を供給するものであってもよい。
【００１５】
図２は本発明の一実施形態による水洗大便器において便座及び便蓋を省略した状態の側面断面図であり、図３は本発明の一実施形態による水洗大便器を示す平面図である。
図２及び図３に示すように、便器本体２の前方上部にはボウル部８が形成されている。  また、便器本体２の後方上部には、貯水タンク６から供給された洗浄水をボウル部８に吐水する導水路１０が形成されている。
さらに、ボウル部８の下方には、ボウル部８内の汚物を排出する排水路である排水トラップ管路１２が形成されている。
【００１６】
ボウル部８は、ボウル形状の汚物受け面１４と、ボウル部８の上縁部に沿って形成されたリム部１６と、これら汚物受け面１４とリム部１６との間に形成された棚部１８を備えている。
【００１７】
また、ボウル部８は、汚物受け面１４よりも下方の領域に形成されて排水トラップ管路１２に接続される凹部２０を備え、この凹部２０は、底面２０ａと、この底面２０ａと汚物受け面１４の下縁部１４ａとを接続する壁面２０ｂを備えている。
さらに、ボウル部８の左右方向を二等分する中心線Ａ１（図３参照）に対して便器本体２の前方側から見て凹部２０の左側の側壁面２０ｂにはゼット吐水口２２が形成され、このゼット吐水口２２は、詳細は後述する導水路１０の共通導水路１０ａから分岐したゼット導水路１０ｂに接続されており、ゼット吐水口２２から吐水された洗浄水の主流が凹部２０内で旋回するようになっている。これにより、ゼット吐水口２２から洗浄水が吐水された際、ゼット吐水の旋回流ｆ４によりボウル部８の凹部２０内の溜水が外側に広がりにくくなり、浮遊系汚物を凹部２０内の溜水のほぼ中央に集めて確実に排出することができるようになっている。また、ボウル部８の凹部２０内から洗浄水が外側へ飛び出そうとするときに、後述するリム吐水口２６から吐水されて旋回したリム吐水がボウル部８を流下して衝突することにより生ずる水撥ねをより効果的に抑制することができるようになっている。
【００１８】
また、ボウル部８の汚物受け面１４の凹部２０の後方且つ下方には、上述した排水トラップ管路１２の入口１２ａが開口し、この入口１２ａから上昇路１２ｂが後方に延びている。この上昇路１２ｂには下降路１２ｃが連続し、下降路１２ｃの下端は排水ソケット２４を介して床下の排出管（図示せず）に接続されている。
【００１９】
なお、本実施形態の水洗大便器１においては、排水トラップ管路１２の下降路１２ｃの下端が床下の排出管（図示せず）に接続されている床排水形の水洗大便器を一例として説明しているが、このような形態に限定されず、下降路１２ｃの末端が水洗大便器の後壁側に配置されて床上の排出管と接続される床上排水形の水洗大便器においても適用可能である。
【００２０】
つぎに、図２〜図８を参照して、水洗大便器１の導水路１０について詳細に説明する。
図４〜図７のそれぞれは、図３のＩＶ−ＩＶ線、Ｖ−Ｖ線、ＶＩ−ＶＩ線及びＶＩＩ−ＶＩＩ線のそれぞれに沿って見た断面図であり、図８は、本発明の一実施形態による水洗大便器の導水路全体を示す斜視図である。
図２〜図８に示すように、導水路１０は、貯水タンク６の排水口６ａに接続される入口部１０ｃからボウル部８の背面側近傍まで延びる共通導水路１０ａと、この共通導水路１０のボウル部８の背面側近傍においてそれぞれ分岐するゼット導水路１０ｂとリム導水路１０ｄを備えている。
【００２１】
リム導水路１０ｄは、ボウル部８の背面側近傍で共通導水路１０ａから分岐し、ボウル部８の左右方向を二等分する中心線Ａ１（図３参照）に対して便器本体２の前方側から見て左側に位置するリム部１６の内部に沿って前方へ延び、リム部１６の前方側領域Ｆ内の便器本体２の前方側から見て左側に配置されている単一のリム吐水口２６（詳細は後述する）まで延びている。
【００２２】
ゼット導水路１０ｂは、ボウル部８の背面側近傍で共通導水路１０ａから分岐し、ボウル部８の左右方向を二等分する中心線Ａ１（図３参照）に対して便器本体２の前方側から見てボウル部８の凹部２０の左側壁面２０ｂの外側を迂回するように前方へ延び、凹部２０の左側壁面２０ｂに形成されたゼット吐水口２２まで延びている。このゼット吐水口２２は、ボウル部８を前後方向及び左右方向にそれぞれ等分したときに、リム部１６のリム吐水口２６に対して後方側且つボウル部８を前方から見て左側に配置されている。
なお、リム吐水口２６とゼット吐水口２２は、ボウル部８の左右の何れか一方の同側に形成されていればよい。
また、リム吐水口２６は、ゼット吐水口２２より前側に形成されていることにより、ゼット吐水口２２から吐水された洗浄水の旋回流（後述する「斜め旋回流ｆ４」）がボウル部８の凹部２０内から外側へ飛び出したとしても、リム吐水口２６から吐水された洗浄水の旋回流（後述する「旋回流ｆ５」）の勢いにより抑え込むことができるようになっている。
【００２３】
さらに、共通導水路１０ａからリム導水路１０ｄを経てリム吐水口２６に導水された洗浄水のリム吐水が開始する前に、共通導水路１０ａからゼット導水路１０ｂを経てゼット吐水口２２に導水された洗浄水のゼット吐水が開始するように吐水のタイミングを設定するための手段として、リム導水路１０ｄの経路長さＬ１が、ゼット導水路１０ｂの経路長さＬ２よりも長くなるように設定されている。このように設定されていることにより、洗浄開始時に共通導水路１０ａ内に存在している空気をゼット導水路１０ｂを経てゼット吐水口２２から抜くことができるようになっており、リム吐水口２６で吐水が開始される際にリム吐水口２６から排出される空気を簡単な構造で減少させることができようになっている。また、共通導水路１０ａからリム導水路１０ｄへ洗浄水と共に流れ込んだ空気がリム導水路１０ｄ内で圧縮されてリム吐水口２６から排出される際に生ずる吐出音と水撥ねを防ぐことができ、便器１の外部への水飛びを防ぐことができるようになっている。
また、ゼット通水路１０ｂ内で圧縮された空気がゼット吐水口２２で洗浄水と共に排出される際に水撥ねが生じたとしても、ゼット吐水口２２がボウル部８内の下方、すなわち、汚物受け面１４と排水トラップ管路１２との間の凹部２０の側壁面２０ｂに位置しているため、便器１の外部への水飛びを防ぐことができるようになっている。
さらに、洗浄開始時に共通導水路１０ａ内に存在している空気が共通導水路１０ａからリム導水路１０ｄに流れる洗浄水に混入したとしても、リム吐水口２６がボウル部８の前方側領域Ｆに形成されているので、リム導水路１０ｄが共通導水路１０ａのボウル部８の背面側近傍からリム吐水口２６まで延びる比較的長い経路となるため、リム導水路１０ｄ内を流れるうちに空気が十分に砕かれた状態となり、リム吐水口２６から吐水される際に生ずる吐出音と水撥ねが抑制されるようになっている。
【００２４】
なお、本実施形態においては、ゼット吐水がリム吐水の開始前に開始するための手段の例として、リム導水路１０ｄの経路長さＬ１をゼット導水路１０ｂの経路長さＬ２よりも長くなるように設定した形態について説明するが、このような形態に限定されず、ゼット吐水がリム吐水の開始前に開始されるようにリム導水路内とゼット導水路内のそれぞれの流速や容積を調整してもよい。
また、共通通水路１０ａ内の空気を抜くための手段として、ゼット導水路１０ｂの代わりに、共通通水路１０ａと凹部２０内を連通して接続する管部材を設けてもよい。
【００２５】
つぎに、図３、図５〜図７及び図９〜図１１を参照して、水洗大便器１のボウル部８のリム部１６、棚部１８及びリム吐水口２６について詳細に説明する。
図９は本発明の一実施形態による水洗大便器のボウル部内の前側領域のリム吐水口を後方側斜め下方から見た拡大斜視図であり、図１０は図３に示す本発明の一実施形態による水洗大便器の前方部分を拡大した部分拡大平面図であり、図１１は図２に示す本発明の一実施形態による水洗大便器のリム吐水口部分を拡大した部分拡大斜視図である。
図３及び図１０に示すように、ボウル部８は、このボウル部８の左右方向に延びた中心線Ａ２（図３参照）によりボウル部８を前後方向に二等分される前方側領域Ｆと後方側領域Ｒを備えている。
また、ボウル部８の前方側領域Ｆは、中心線Ａ１及びリム部１６の内周面１７の前端部１６ａ（内周側前端部１６ａ）に対して左右対称に配置され且つ前端部１６ａを含む領域Ｆ１と、この領域Ｆ１よりも後方側に位置する領域Ｆ２と、この領域Ｆ２よりもさらに後方側に位置する領域Ｆ３を備えている。
【００２６】
リム部１６の前方側領域Ｆ１内の前端部１６ａがリム部１６の全周の中で最小の曲率半径ρ１を備え、リム吐水口２６は、リム部１６の前方側領域Ｆ１内の前端部１６ａよりも後方側に位置する前方側領域Ｆ２内に形成されており、この前端部１６ａに向けて洗浄水が吐水されるようになっている。
すなわち、リム吐水口２６が、リム部１６の前端部１６ａに位置する曲率半径最小部の近傍に配置され、この曲率半径最小部に向けて洗浄水を吐水することにより、リム吐水口２６から吐水された洗浄水の吐水方向ベクトルと水勢を安定化させることができ、比較的強い水勢を維持した状態で、リム部１６の前端部１６ａを経由した後、リム部１６の後方側領域Ｒへ旋回することができるようになっている。それにより、汚れやすいボウル部８の後方側領域Ｒをしっかり洗浄することができ、後方側領域Ｒを通過後の洗浄水は勢いを保った状態で旋回を続けるため、リム部１６の前端部１６ａ付近も旋回することができずに洗浄不良となることを防ぐことができるようになっている。
また、リム吐水口２６から吐水された洗浄水は、リム部１６の前端部１６ａの曲率半径最小部を通過した後にリム部１６に沿って第１周目の旋回を行うが、このリム部１６の曲率半径最小部を通過したときにリム部１６の外側に作用する遠心力の影響により、リム吐水口２６から棚部１８に流下する洗浄水の流れが抑制されるため、すでに第１周目を旋回し終えて第２周目の旋回に差しかかろうとする棚部１８上の旋回流との衝突を抑制することができるようになっている。
【００２７】
また、リム吐水口２６は、ボウル部８のリム部１６の前方側領域Ｆ１内の前端部１６ａに対して、便器本体２の前方側から見て左側に隣接し且つ後方から前方に向って曲率半径ρ２が大きな曲率半径から小さな曲率半径に変化している部分である前方側領域Ｆ２内に形成されている。これにより、リム吐水口２６から吐水された洗浄水が、強い水勢を維持した状態で、直ちにリム部１６の前端部１６ａに到達し、その後、リム部１６の後方側領域Ｒへ旋回することができるため、最小の曲率半径のリム部１６の前端部１６ａにおいて洗浄水が旋回することができずに洗浄不良となることを防ぐことができるようになっている。さらに、リム吐水口２６からリム部１６の前方側領域Ｆ１内の前端部１６ａに向けて強い水勢で吐水される洗浄水は、最小曲率半径ρ１により形成されたリム部１６の前方側領域Ｆ１内の前端を通過する際に生ずる適度なエネルギー損失により、水勢が適度に抑制され、洗浄水が、勢いが強すぎることにより便器の外側に飛び出すことを防ぐことができるようになっている。
【００２８】
さらに、ボウル部８の棚部１８の後方側領域Ｒは、その大部分が一定の半径（曲率半径ρ３）を備えた正円の一部（円弧形状）を形成している。これにより、ボウル部８のリム部１６の後方側領域Ｒの大部分において曲率半径ρ３（正円の半径）が変化しないため、リム部１６の後方側領域Ｒを通過する際の洗浄水のエネルギー損失を抑制することができ、洗浄水をより確実に旋回させることができるようになっており、リム部１６の後方側領域Ｒまで比較的強い水勢を維持した状態で旋回することができるため、汚れやすいボウル部８の後方側領域Ｒも確実に洗浄することができるようになっている。また、ボウル部８のリム部１６の後方側領域Ｒの大部分が所定の半径（曲率半径ρ３）の正円の一部を形成することにより、使用者が前方斜め上方から見たとき、最も目立ちやすいボウル部８のリム部１６の後方側領域Ｒの大部分が所定の半径（曲率半径ρ３）の正円の一部を形成しているので、ボウル部８の全体の美観を向上させることができるようになっている。
【００２９】
ボウル部８のリム部１６は、前方側領域Ｆ内において、曲率半径ρ２と等しく、かつ後方側領域Ｒの曲率半径ρ３よりも大きい曲率半径ρ４（ρ４＝ρ２＞ρ３）により形成された前方側領域Ｆ３を備え、この前方側領域Ｆ３は、前方側領域Ｆ１内の前端部１６ａの付近に近接しており、前方側領域Ｆ２と後方側領域Ｒとの間に配置されている。これにより、リム吐水口２６から吐水されてリム部１６の前端部１６ａを通過した洗浄水は、ボウル部８のリム部１６の前方側領域Ｆ１内の前端部１６ａ付近に近接する領域Ｆ２を経て領域Ｆ３に比較的強い水勢を維持した状態で流れるようになっている。この洗浄水は、リム部１６の後方側領域Ｒの曲率半径ρ３よりも大きい曲率半径ρ４により形成されたリム部１６の前方側領域Ｆ３を流れることにより、前方側領域Ｆ３よりも前方側のリム部１６の前方側領域Ｆ１，Ｆ２からの洗浄水の比較的強い水勢を維持しつつ安定した状態でリム部１６の後方側領域Ｒに滑らかに流れることができようになっており、リム部１６の内周面１７がほぼ鉛直方向に立ち上がる形状であっても、リム部１６を流れる洗浄水が便器１の外側に飛び出すことを防ぐことができるようになっている。
なお、本実施形態では、リム部１６の前方側領域Ｆ１の曲率半径ρ１がリム部１６の後方側領域Ｒの曲率半径ρ３よりも小さくなるように設定した形態について説明するが、このような形態に限定されず、リム部１６の前方側領域Ｆ１の曲率半径ρ１をリム部１６の後方側領域Ｒの曲率半径ρ３と等しくなるように設定してもよい。或いは、リム部１６の各前方側領域Ｆ１の各前方側領域Ｆ１，Ｆ２，Ｆ３の各曲率半径ρ１，ρ２，ρ４の少なくとも１つの曲率半径をリム部１６の後方側領域Ｒの曲率半径ρ３と等しくなるように設定してもよい。
【００３０】
ボウル部８のリム部１６は、前方側領域Ｆ２内のリム吐水口２６から前方側に向ってリム部１６の前方側領域Ｆ１内の前端部１６ａ付近までの部分の上縁部が局所的に内方へ突出するオーバーハングした形状に形成されたオーバーハング部１６ｂを備え、このオーバーハング部１６ｂにより、リム吐水口２６の上方が覆われるようになっている。
また、ボウル部８のリム部１６は、オーバーハング部１６ｂ以外の内周面１７の領域がほぼ鉛直方向に立ち上がる形状となっている立ち上がり部１６ｃを備えている。
このように、リム部１６の内周面１７の前端部１６ａ付近の前方側領域Ｆ１，Ｆ２ではオーバーハング部１６ｂにより内方に向かってオーバーハングした形状に形成され、リム部１６の前端部１６ａ付近以外の前方側領域Ｆ３及び後方側領域Ｒでは、ほぼ鉛直方向に立ち上がる形状に形成されているので、最小の曲率半径ρ１のリム部１６の前端部１６ａ付近において、便器１の外部への水飛びが発生することがなく、リム吐水口２６から吐水された洗浄水の水勢を高めることができるようになっている。また、リム部１６の後方側領域Ｒまで比較的強い水勢を十分に維持した状態で旋回することができ、汚れやすいボウル部８の後方側領域Ｒもより確実に洗浄することができるようになっている。
また、リム部１６の前端部１６ａ付近の前方側領域Ｆ１，Ｆ２のオーバーハング部１６ｂにより、特に水飛びが発生しやすいリム部１６のリム吐水口２６近傍において、水撥ねが発生したとしても、この水撥ねがリム部１６のオーバーハング部１６ｂの上縁部に当たるため、便器１の外部への水飛びを防ぐことができるようになっている。
さらに、ボウル部８のリム部１６の内周面１７は、前端部１６ａ付近以外ではほぼ鉛直方向に立ち上がる形状に形成されているので、万一汚れが付着したとしても、拭き取りやすくなっている。
なお、本実施形態の水洗大便器１においては、例として、リム部１６の内周面１７が立ち上がり部１６ｃを備えた形態について説明するが、この立ち上がり部１６ｃの代わりに、リム部１６の周方向に沿って形成されたリム導水路の内側が開放されている、いわゆる、オープンリムタイプの形態としてもよい。
【００３１】
また、リム吐水口２６は、ボウル部８の棚部１８の高さ位置よりも所定距離ｈ上方に位置しており、ボウル部８のリム部１６の上端側に形成されている。これにより、リム吐水口２６から吐水された洗浄水は、曲率半径が小さいリム部１６の前端部１６ａ付近を通過してリム部１６の後方側へと旋回する流れ（旋回流ｆ１）を形成すると共に、リム部１６の上端側から下降する流れ（下降流ｆ２）を形成し、これらの旋回流ｆ１と下降流ｆ２により、ボウル部８内を効果的に洗浄することができるようになっている。また、リム部１６の上端側に配置された比較的高い位置にあるリム吐水口２６から吐水された洗浄水によって、ボウル部８のリム部１６の前端部１６ａ付近を確実に洗浄することができるようになっている。
さらに、リム吐水口２６が棚部１８から所定距離ｈ上方のリム部１６に形成されていることにより、リム吐水口２６から吐水された洗浄水は、詳細は図１４及び図１５を用いて後述するが、第１週目の第１旋回軌道Ｔ１の旋回流ｆ１が棚部１８上に流下することなく旋回し、第２週目の第２旋回軌道Ｔ２の旋回流ｆ３が棚部１８上を旋回し、特に水飛びが発生しやすいリム吐水口２６付近において、リム部１６を旋回する第１旋回軌道Ｔ１と第２旋回軌道Ｔ２の洗浄水同士の衝突による水撥ねの発生を抑制することができるようになっている。
また、リム吐水口２６がボウル部８のリム部１６の上端側に形成されていることにより、ボウル部８を前方斜め上方から見た使用者に対して、リム吐水口２６が確実にリム部１６のオーバーハング部１６ｂの死角に入るため、リム吐水口２６を使用者がより視認し難くなるようになっている。さらに、使用者が感じる清潔感を向上させることができると共に、ボウル部８の全体の美観を向上させることができるようになっている。
【００３２】
さらに、リム吐水口２６は、ボウル部８の棚部１８の内縁部１８ａよりも外側（棚部１８の外縁部１８ｂ側）に位置するリム部１６に形成されており、詳細は図１４及び図１５を用いて後述するが、第１旋回軌道Ｔ１が第２旋回軌道Ｔ２に対して平面視において外側に位置している。これにより、特に水飛びが発生しやすいリム吐水口２６付近において、第１旋回軌道Ｔ１と第２旋回軌道Ｔ２の洗浄水同士の衝突による水撥ねの発生を効果的に抑制することができるようになっている。
【００３３】
さらに、ボウル部８のリム部１６は、リム吐水口２６内に形成された通水路２６ａの上面を形成する上縁部２６ｂから下流側に向かって延びるリム部１６の内周面１７の立ち上がり部１６ｃにかけて連続的に形成された連続形成部２６ｃを備え、この連続形成部２６ｃは、便器本体２の前方側から見て中心線Ａ１（図３参照）に対して右側のリム部１６の内周面１７に位置している。このような連続形成部２６ｃにより、リム吐水口２６の上面とリム部１６のオーバーハング部１６ｂが連続的に形成されているので、リム吐水口２６から吐水された洗浄水がリム部１６の内周面１７に沿って滑らかに流れるようになっている。また、曲率半径が小さいリム部１６の前端部１６ａ付近を通過する旋回流ｆ１と下降流ｆ２が形成されるので、ボウル部８のリム部１６の前端部１６ａ付近を確実に洗浄することができるようになっている。さらに、リム吐水口２６を形成する通水路２６ａの上側面を形成する上縁部２６ｂとリム部１６の内周面１７が連続的に形成されていることにより、リム吐水口２６から吐水された洗浄水が遠心力でリム部１６の内周面１７に沿って滑らかに流れることができるようになっており、旋回する洗浄水同士が衝突して水撥ねが発生することを抑制することができるようになっている。
【００３４】
また、リム部１６の前方側領域Ｆ１，Ｆ２のオーバーハング部１６ｂは、リム吐水口２６から前方側に向ってリム部１６の前方側領域Ｆ１内の前端部１６ａまで延び、この前端部１６ａから連続形成部２６ｃまで延びており、ボウル部８内を上方から見てリム部１６の前端部１６ａに対して左右対称に配置されている。このように、リム吐水口２６がリム部１６の前端部１６ａ付近に形成され、リム部１６のオーバーハング部１６ｂがリム吐水口２６を覆うので、使用者は、前方斜め上方から見たときに、リム吐水口２６を視認することができないようになっている。さらに、リム部１６のオーバーハング部１６ｂがボウル部８のリム部１６の前端部１６ａ付近に左右対称に形成されているので、ボウル部８の全体の美観を向上させることができるようになっている。
【００３５】
また、リム吐水口２６の後方側の口縁部２６ｄは、リム吐水口２６の吐水方向に向って下方から上方に傾斜している。これにより、リム吐水口２６から吐水された洗浄水は、下方から上方に傾斜したリム吐水口２６の口縁部２６ｄにより、曲率半径が小さいリム部１６の前端部１６ａ付近を通過してリム部１６の後方側へと旋回する流れ（旋回流ｆ１）を形成すると共に、リム部１６の上端側から下降する流れ（下降流ｆ２）を形成し、これらの旋回流ｆ１と下降流ｆ２により、ボウル部８のリム部１６の前端部１６ａ付近を確実に洗浄することができるようになっている。
また、リム吐水口２６の口縁部２６ｄが吐水方向に向って下方から上方に傾斜していることにより、第１旋回軌道Ｔ１と第２旋回軌道Ｔ２の境界に不洗浄部ができたとしても、リム吐水口２６から吐水される洗浄水が下降して流れ、この不洗浄部が生じることを防止することができるようになっている。
さらに、このような吐水方向に向って下方から上方に傾斜しているリム吐水口２６の口縁部２６ｄにより、リム吐水口２６から吐水された洗浄水の一部を下降させることができるようになっており、この下降する洗浄水により、ゼット吐水口２２から吐水された洗浄水の旋回流ｆ４が凹部２０の外側に飛び出そうとするのをより効果的に抑え込むことができるようになっている。また、ボウル部８の凹部２０内において、ゼット吐水口２２からの吐水に、このような下降するリム吐水が加わることにより、横方向の旋回流と縦方向の旋回流が組み合わされた、強力な回転力を備えた旋回流ｆ４が生成され、汚物の排出性能を高めることができようになっている。さらに、リム吐水とゼット吐水とが衝突した際に生じる水撥ねについてもより効果的に抑制することができるようになっている。
【００３６】
ボウル部８のリム部１６は、使用者がボウル部８の前方斜め上方から視認できるボウル部８内の後方側領域Ｒや前方側領域Ｆ３領域において左右対称に形成されおり、リム吐水口２６については、内周側が開放されているが、上方がオーバーハング部１６ｂにより覆われているため、ボウル部８の前方斜め上方からリム部１６を見た使用者から視認できないようになっており、ボウル部８の全体の美観を向上させることができるようになっている。
【００３７】
特に、図９〜図１１に示すように、リム吐水口２６は、ボウル部８のリム部１６の前端部１６ａ付近に形成され、リム部１６の前方側領域Ｆ１内の内周面１７が、リム部１６の前端部１６ａ付近において、鉛直面１７ａとこの鉛直面１７ａから内方に向かって延びる水平面１７ｂとによりオーバーハングした形状に形成されている。そして、この鉛直面１７ａと水平面１７ｂとにより、リム部１６の内周側前端部１６ａ付近の棚部１８上に前方に突出した凹み空間Ｂを形成し、この凹み空間Ｂ内において、リム吐水口２６とリム部１６の鉛直面１７とが面一となるように連続して形成されている。
すなわち、リム吐水口２６は、ボウル部８のリム部１６の前方側領域Ｆ１，Ｆ２において、ボウル部８のリム部１６の後方側領域Ｒ及び前方側領域Ｆ３のほぼ鉛直方向に立ち上がる立ち上がり部１６ｃを形成する内周面１７と面一となる仮想面１６ｄに対して前方に且つ左右方向に所定の幅で突出するように形成された凹み空間Ｂ内に形成されている。この凹み空間Ｂの上縁部は、オーバーハング部１６ｂと一致し、凹み空間Ｂ内の内周面１６ｆの前端部１６ａの下端は、棚部１８の外縁部１８ｂの前端１８ｃと一致している。
【００３８】
また、リム吐水口２６は、凹み空間Ｂの上縁部１６ｂの後縁１６ｅよりも前方に且つ棚部１８の外縁部１８ｂの前端１８ｃよりも後方に位置し、凹み空間Ｂ内には、リム吐水口２６の口縁部２６ｄの後端から凹み空間Ｂ内の内周面１６ｆに沿って前端部１６ａ付近まで延びる通水路２６ａが形成され、この通水路２６ａから凹み空間Ｂ内の内周面１６ｆの最前部１６ａを通過して延びた延長部分２６ｅは、凹み空間Ｂ内からその後方側のリム部内周面１６ｃの連続形成部２６ｃにかけて連続的に形成されている。これにより、ボウル部８を前方斜め上方から見た使用者がリム吐水口２６を視認し難くなり、使用者が感じる清潔感を向上させることができるようになっている。
【００３９】
さらに、詳細は図１４及び図１５を用いて後述するが、リム吐水口２６から吐水された洗浄水の旋回方向と、ゼット吐水口２２から吐水された洗浄水の旋回方向が、平面視で、同一方向になるようになっている。また、ゼット吐水口２２における吐水方向Ｄ１（図１４の矢印Ｄ１）は、前方に向って斜め下方となっており、リム吐水口２６における吐水方向Ｄ２（図１４の矢印Ｄ２）とほぼ同一となるようになっている。
【００４０】
つぎに、図６、図１０、図１２及び図１３を参照して、本発明の一実施形態による水洗大便器１の陶器製の便器本体２の製造時の接着工程について説明する。
図１２は本発明の一実施形態による水洗大便器における接着工程前の状態の便器本体を示す側面図であり、図１３は本発明の一実施形態による水洗大便器における接着工程前の状態の便器本体を示す正面断面図である。
図１２及び図１３に示すように、本実施形態の水洗大便器１の陶器製の便器本体２は、汚物受け面１４及び棚部１８を形成し且つリム部１６を除くボウル部８を備えた下側便器本体部２ａと、リム部１６を備えた下側便器本体部２ａとは、便器本体２の製造時に、予め別々に成形された後に、接着工程において下側便器本体部２ａの上端部２ｃの全周に亘って下端部２ｄが接着される上側便器本体部２ｂを備えている。この上側便器本体部２ｂは、接着工程において下側便器本体２ａのボウル部２本体の上端部に接着されるリム部１６を備えている。
【００４１】
また、図１３に示すように、上側便器本体部２ｂのリム部１６は、このリム部１６の内周及び外周をそれぞれ形成するリム内壁部１６ｇ及びリム外壁部１６ｈと、これらリム内壁部１６ｇとリム外壁部１６ｈの両下端部を結合するリム底面部１６ｉと、リム内壁部１６ｇとリム外壁部１６ｈの両上端部を結合するリム上面部１６ｊを備え、これらリム内壁部１６ｇ、リム外壁部１６ｈ、リム底面部１６ｉ及びリム上面部１６ｊによりリム導水路１０ｄが形成されている。これにより、リム部１６のリム内壁部１６ｇ、リム外壁部１６ｈ、リム底面部１６ｉ及びリム上面部１６ｊにより形成された空間をリム導水路１０ｄとして利用することにより、別途導水路を設ける必要がなく、便器本体２を簡易な構造にすることができるようになっている。また、リム吐水口２６が、ボウル部８の前方位置にあるリム内壁部１６ｇに形成されていることにより、さらに、簡易な構造となっている。
【００４２】
さらに、図６及び図１０は、下側便器本体部２ａと上側便器本体部２ｂとの接着工程後の状態の便器本体２を示しているが、リム部１６を除く下側便器本体部２ａのボウル部８と上側便器本体部２ｂのリム部１６との接着部を示す接着ラインＣ（境界線）は、上方から見た平面視においてリム底面部１６ｉの下方領域内に位置している。これにより、リム部１６とこのリム部１６を除くボウル部８との接着部である接着ラインＣが便器本体２の外側表面に表れた状態であっても、この境界線Ｃが上方から見たときリム底面部１６ｉの下方領域内に位置しているため、リム部のリム底面部によって隠れて視認することができなくなり、便器１の外側全体の美観を向上させることができるようになっている。
【００４３】
また、図６及び図１３に示すように、下側便器本体部２ａのボウル部８の本体と上側便器本体部２ｂのリム部１６との接着部である接着ラインＣは、接着工程においてボウル部８の上端部８ａとリム内壁部１６ｇの下端部１６ｋとが線接触することにより、ボウル部８の本体とリム部１６との境界線を形成し、この境界線は、ボウル部８の本体及びリム部１６の内側から視認可能となっている。これにより、便器本体２の製造時にリム部１６とこのリム部１６を除くボウル部８とを接着させる際に、リム内壁部１６ｇの下端部とリム部１６を除くボウル部８の上端部８ａとが線接触することにより形成される境界線（接着ラインＣ）が、ボウル部８の内側から視認可能であるため、便器本体２の製造におけるリム部１６とリム部１６を除くボウル部８との接着作業を容易に行うことができる。
【００４４】
つぎに、図１〜図１７により、本発明の一実施形態による水洗大便器の作用（動作）を説明する。
図１４は、本発明の一実施形態による水洗大便器においてゼット洗浄開始後にリム洗浄が行われているときのリム吐水の第１周目の第１旋回軌道と第２周目の第２旋回軌道を概略的に説明する斜視図であり、図１５は、本発明の一実施形態による水洗大便器においてリム吐水の旋回流が凹部内へ流下している状態を概略的に説明する斜視図である。
【００４５】
まず、使用者が、便器洗浄のための操作レバー（図示せず）を操作すると、便器洗浄が開始され、貯水タンク６内の洗浄水が共通導水路１０ａを経てゼット導水路１０ｂとリム導水路１０ｃに分岐して流れる。そして、最初にゼット吐水口２２からの吐水が開始された後に、リム吐水口２６からの吐水が遅れて開始される。この際、ゼット吐水口２２における吐水方向Ｄ１（図１４の矢印Ｄ１）は、前方に向って斜め下方となっており、リム吐水口２６における吐水方向Ｄ２（図１４の矢印Ｄ２）とほぼ同一となっている。
【００４６】
また、図１１及び図１４に示すように、リム吐水口２６から吐水されたリム吐水は、その主流がリム部１６の内周面に沿って前方側へ流れ、曲率半径が最小となるリム部１６の前端部１６ａ付近を通過してリム部１６の後方側へと左回りに旋回する流れ（旋回流ｆ１）を形成すると共に、リム吐水の一部がリム部１６の上端側から下降する流れ（下降流ｆ２）を形成する。また、第１周目を旋回した後のリム吐水は、第１周目の旋回流ｆ１の内側に第２周目の左回りの旋回流ｆ３を形成する。
【００４７】
一方、ゼット吐水口２２から前方に向って斜め下方（吐水方向Ｄ１）に吐水されたゼット吐水は、凹部２０内の前方側の壁面２０ｂ及び底面２０ａに沿って流れ、後方側に向って下方から斜め上方に上昇しながら旋回した後、凹部２０内の後方側の壁面２０ｂに沿って前方且つ斜め下方に旋回する斜め旋回流ｆ４を形成する。この斜め旋回流ｆ４は、凹部２０内を上方から平面視で見て左回りの旋回流を形成しており、リム吐水の旋回方向とゼット吐水の旋回方向は、平面視において同一方向（左回り）となっている。
【００４８】
また、図１４に示すように、リム吐水口２６から吐水された洗浄水がリム部１６に沿って第１周目の旋回流ｆ１で旋回しているときの第１旋回軌道Ｔ１は、この第１旋回軌道Ｔ１で第１周目の旋回を終えた次にリム部１６及び棚部１８に沿って第２周目の旋回流ｆ３で旋回しているときの第２旋回軌道Ｔ２よりも上方且つ外側に位置している。
【００４９】
つぎに、図１４に示すように、リム吐水は、左回りの旋回流の方向の勢いを概ね維持しながら汚物受け面１４に沿って凹部２０内へ流下し、凹部２０内のゼット吐水の旋回流に合流し、凹部２０内において比較的強力で速い回転力を備えた斜め旋回流ｆ４を生成する。
【００５０】
また、図１５に示すように、リム吐水が凹部２０内のゼット吐水の斜め旋回流ｆ４に合流した後も新たなリム吐水がリム吐水口２６から継続して行われ、汚物受け面１４上を旋回するリム吐水の水量が増すと、水勢を増したリム吐水の旋回流ｆ５が、凹部２０内のゼット吐水の斜め旋回流ｆ４に向けて流下して合流し、凹部２０内の汚物を排水トラップ管路１２の入口１２ａに向けて強力に押し込む流れを形成する。
最終的には、リム吐水合流後の凹部２０内の斜め旋回流ｆ４の比較的強力な回転力により、比重が大きい汚物をボウル部８から排水トラップ管路１２内に押しこむことができ、比重が小さい浮遊系汚物については、合流後の比較的速い回転の斜め旋回流ｆ４により、ボウル部８から排水トラップ管路１２内へ送出することができる。
【００５１】
つぎに、図１６の（ａ）は、本発明の一実施形態による水洗大便器を用いて便器洗浄を行ったときのリム吐水及びゼット吐水に関する流速分布を解析した結果の一例を示し、図１６の（ｂ）は、図１６の（ａ）に示す解析結果の比較例として、従来の水洗大便器を用いて便器洗浄を行ったときのリム吐水及びゼット吐水に関する流速分布を解析した結果を示す。
まず、図１６の（ａ）に示す洗浄水の色の濃淡は、洗浄水の流速の大きさを示しているが、上述した本実施形態の水洗大便器１の便器本体２を上方から見たときに、ボウル部内のリム吐水口からリム部前端を経て左回りに旋回した後方側の領域にかけて、及び凹部のゼット吐水口付近とその前側の領域において、洗浄水の比較的大きな流速が得られている。
【００５２】
これに対し、図１６の（ｂ）に示す比較例の水洗大便器は、本実施形態の水洗大便器１の形態とは異なり、リム部の後方側の領域に２つのリム吐水口（第１及び第２リム吐水口）とボウル部内の凹部の片側の側壁面にゼット吐水口が設けられている形態であるが、ボウル部内のリム部前端から後方側の第２リム吐水口付近までの領域において、本実施形態の水洗大便器１に比べて洗浄水の流速が比較的小さくなっており、本実施形態の水洗大便器の洗浄力が従来の水洗大便器に比較してより向上していることがわかる。
【００５３】
つぎに、図１７の（ａ）は、本発明の一実施形態による水洗大便器を用いて便器洗浄を行ったときのゼット吐水に関する流速分布と流れの様子を解析した結果の一例を示し、図１７の（ｂ）は、図１７の（ａ）に示す解析結果の比較例として、従来の水洗大便器を用いて便器洗浄を行ったときのゼット吐水に関する流速分布と流れの様子を解析した結果を示す。
まず、図１７の（ａ）に示す洗浄水の流線の色の濃淡は、洗浄水の流速の大きさを示しているが、上述した本実施形態の水洗大便器１の便器本体２を側方から見たときに、ボウル部の凹部のゼット吐水口から前方に向って斜め下方に吐水されたゼット吐水が、凹部内の前方側壁面及び底面に沿って流れ、後方側に向って下方から斜め上方に上昇しながら旋回した後、凹部内の後方側の壁面に沿って前方且つ斜め下方に旋回する斜め旋回流ｆ４を形成していることがわかる。
【００５４】
これに対し、図１７の（ｂ）に示す比較例の水洗大便器は、図１６の（ｂ）に示す比較例の水洗大便器と同一の形態であり、ゼット吐水口から吐水されたゼット吐水が、ゼット吐水口と対向する凹部の側壁面に向けて吐水された後に凹部の底面に下降する流れを形成している。したがって、比較例による水洗大便器の凹部内の旋回流の流速及び回転力は、図１７の（ａ）に示す本実施形態の水洗大便器１の強力な斜め旋回流ｆ４の流速及び回転力に比べて弱まっており、排水トラップ管路へ押し込む流れも小さいため、本実施形態の水洗大便器が従来の水洗大便器に比較して汚物の排出性能がより向上していることがわかる。
【００５５】
上述した本発明の一実施形態による水洗大便器１によれば、ボウル部８の棚部１８上に洗浄水を吐水して旋回流ｆ１を形成するリム吐水口２６が、ボウル部８の前方側領域Ｆ２に形成され、汚れやすいボウル部８の後方側領域Ｒからずれているので、リム吐水口２６及びその付近に汚物が付着し難く、さらに、リム吐水口２６がリム部１６のオーバーハングした部分１６ｂにより覆われることにより、使用者がボウル部８の前方斜め上方から見て視認できないようになっているため、使用者が感じる清潔感を向上させることができると共に、ボウル部８の全体の美観にも向上させることができる。
【００５６】
また、本実施形態による水洗大便器１によれば、リム吐水口２６がリム部１６の内周側前端部１６ａ付近に形成され、リム部１６のオーバーハング部１６ｂがリム吐水口２６を覆うので、使用者は、リム吐水口２６を視認することができないので、使用者が感じる清潔感を向上させることができ且つボウル部８全体の美観を向上させることができる。さらに、リム部１６のオーバーハング部１６ｂがボウル部８のリム部１６の内周側前端部１６ａ付近に左右対称に形成されているので、ボウル部８の全体の美観を向上させることができる。
【００５７】
さらに、本実施形態による水洗大便器１によれば、リム吐水口２６がボウル部８のリム部１６の上端側に形成されているので、ボウル部８を前方斜め上方から見た使用者に対して、リム吐水口２６が確実にリム部１６のオーバーハング部１６ｂの死角に入るため、リム吐水口２６を使用者がより視認し難くなる。また、使用者か感じる清潔感を向上させることができると共に、ボウル部８の全体の美観を向上させることができる。
【００５８】
さらに、本実施形態による水洗大便器１によれば、リム吐水口２６がリム部１６のオーバーハング部１６ｂにより隠されているので、使用者がボウル部８の前方斜め上方から視認できる広い領域においてリム部１８を左右対称にすることができる。その結果、ボウル部８の全体の美観をより向上させることができる。
【００５９】
さらに、本実施形態による水洗大便器１によれば、ボウル部８のリム部１６の後方側領域Ｒの大部分が所定の半径の正円の一部を形成するので、使用者が前方斜め上方から見たとき、最も目立ちやすいボウル部８のリム部１６の後方側領域Ｒの大部分が所定の半径（曲率半径ρ３）の正円の一部を形成しているので、ボウル部８の全体の美観を向上させることができる。
【００６０】
さらに、本実施形態による水洗大便器１によれば、リム吐水口２６が、ボウル部８のリム部１６の内周側前端部１６ａ付近に形成され、リム部１６の内周面１７が、リム部１６の内周側前端部１６ａ付近において、鉛直面１７ａとこの鉛直面１７ａから内方に向かって延びる水平面１７ｂとにより棚部１８上に前方に突出した凹み空間Ｂを形成し、この凹み空間Ｂ内において、リム吐水口２６とリム部１６の鉛直面１７ａとが面一となるように連続して形成されているので、ボウル部８を前方斜め上方から見た使用者がリム吐水口２６を視認し難くなり、使用者が感じる清潔感を向上させることができる。また、ボウル部８の全体の美観も向上する。
【００６１】
なお、上述した本実施形態による水洗大便器１においては、例として、洗い落し式の水洗大便器について説明したが、サイホン作用を利用してボウル部内の汚物を吸い込んで排水トラップ管路から一気に外部に排出する、いわゆる、サイホン式の水洗大便器であってもよい。
【００６２】
また、上述した本実施形態による水洗大便器１においては、ゼット導水路１０ｂ及びゼット吐水口２２によるゼット吐水を行うと共に、リム導水路１０ｄ及びリム吐水口２６によるリム吐水を行うような形態について説明したが、このような形態に限定されず、ゼット導水路１０ｂ及びゼット吐水口２２によるゼット吐水を省略し、リム導水路１０ｄ及びリム吐水口２６によるリム吐水のみを行うような形態についても適用可能である。
【符号の説明】
【００６３】
１    水洗大便器
２    便器本体
２ａ  下側便器本体部
２ｂ  上側便器本体部
２ｃ  下側便器本体部の上端部
２ｄ  上側便器本体部の下端部
４    便蓋
６    貯水タンク（洗浄水給水手段）
６ａ  貯水タンクの排水口
８    ボウル部
８ａ  ボウル部の本体の上端部
１０    導水路
１０ａ  共通導水路
１０ｂ  ゼット導水路
１０ｃ  導水路の入口部
１０ｄ  リム導水路
１２    排水トラップ管路（排水路）
１２ａ  排水トラップ管路の入口
１２ｂ  排水トラップ管路の上昇路
１２ｃ  排水トラップ管路の下降路
１４    汚物受け面
１４ａ  汚物受け面の下縁部
１６    リム部
１６ａ  リム部の前端部
１６ｂ  リム部のオーバーハング部
１６ｃ  リム部の立ち上がり部
１６ｄ  リム部の立ち上がり部の内周面と面一となる仮想面
１６ｅ  リム部のオーバーハング部の後縁
１６ｆ  リム部の凹み空間内の内周面
１６ｇ  リム部内壁部
１６ｈ  リム部外壁部
１６ｉ  リム部底面部
１６ｊ  リム部上面部
１６ｋ  リム部内壁部の下端部
１７    リム部の内周面
１７ａ  鉛直面
１７ｂ  水平面
１８    棚部
１８ａ  棚部の内縁部
１８ｂ  棚部の外縁部
１８ｃ  棚部の外縁部の前端
２０    凹部
２０ａ  凹部の底面
２０ｂ  凹部の壁面
２２    ゼット吐水口（ゼット吐水部）
２４    排水ソケット
２６    リム吐水口（リム吐水部）
２６ａ  リム吐水口内の通水路
２６ｂ  リム吐水口内の通水路の上縁部
２６ｃ  連続形成部
２６ｄ  リム吐水口の口縁部
２６ｅ  リム吐水口内の通水路の延長部分
Ａ１    ボウル部の前後方向中心線
Ａ２    ボウル部の左右方向中心線
Ｂ      凹み空間
Ｃ      接着ライン
Ｄ１    ゼット吐水の吐水方向
Ｄ２    リム吐水の吐水方向
Ｆ      ボウル部の前方側領域
Ｆ１    ボウル部の前方側領域
Ｆ２    ボウル部の前方側領域
Ｆ３    ボウル部の前方側領域
ｆ１    第１周目の旋回流（主流）
ｆ２    下降流
ｆ３    第２周目の旋回流
ｆ４    斜め旋回流
ｆ５    旋回流
Ｒ      ボウル部の後方側領域
Ｔ１    第１旋回軌道
Ｔ２    第２旋回軌道
【図１】
0005935970.tif 000002
【図２】
0005935970.tif 000003
【図３】
0005935970.tif 000004
【図４】
0005935970.tif 000005
【図５】
0005935970.tif 000006
【図６】
0005935970.tif 000007
【図７】
0005935970.tif 000008
【図８】
0005935970.tif 000009
【図９】
0005935970.tif 000010
【図１０】
0005935970.tif 000011
【図１１】
0005935970.tif 000012
【図１２】
0005935970.tif 000013
【図１３】
0005935970.tif 000014
【図１４】
0005935970.tif 000015
【図１５】
0005935970.tif 000016
【図１７】
0005935970.tif 000017
【図１６】
0005935970.tif 000018